(57)【要約】      （修正有）【課題】スタンプラリーとポイント券機能とを一つにまとめた来店促進用顧客カードを提供する。【解決手段】ポイントシステムに使用される来店促進用顧客カード１は、スタンプラリーの進捗に応じて提供される第１ポイント表示部６を備えるスタンプ押印欄２と、顧客情報記入欄１２と、ポイント対象商品がスタンプ押印期間又は当該期間内の一定の期間内で購入されたとき、顧客に提供されるポイント数をバーコードで表示する第２ポイント表示部１０と、を１枚のカード用紙にそれぞれ配置して構成される。第１ポイント表示部６で表示のポイント数は顧客により顧客識別情報が顧客情報記入欄１２へ記入されて提出されたとき、第２ポイント表示部１０のポイント数はバーコードの読み取りによって、それぞれ顧客に提供される。【選択図】図１
0003222289.tif 000002
【実用新案登録請求の範囲】
【請求項１】
小売店での一回の買い物に応じてポイントが付与されて、ポイント数が所定数まで累積されると特典と交換することができるポイントシステムに使用される来店促進用顧客カードであって、
所定の要件を満たす買い物でスタンプが捺印されていくマス目が複数配列されて、それぞれの前記マス目には前記スタンプの捺印順を表す通し番号が打たれており、複数の所定の前記通し番号が打たれた前記マス目のそれぞれの中には当該マス目に前記スタンプが捺印されていると顧客に提供される前記ポイント数を表示する第1ポイント表示部を備えて、前記第１ポイント表示部は前記通し番号が大きいほど高いポイント数が表示されるスタンプ押印欄と、
前記スタンプ押印欄の隣に配置されて前記マス目に前記スタンプが捺印されるスタンプ押印期間を表示しているカレンダーと、
顧客が予め付与されている顧客識別情報を記入するための顧客情報記入欄と、
予め定められたポイント対象商品が前記スタンプ押印期間又は当該期間内の一定の期間内で購入されたとき、小売店から顧客に提供される前記ポイント数をバーコードで表示する第２ポイント表示部と、
を1枚のカード用紙にそれぞれ配置して成り、
前記第２ポイント表示部は、前記カード用紙から折り曲げ又は切り取り可能なよう区画線で仕切られて配置されることを特徴とする来店促進用顧客カード。
【請求項２】
前記第２ポイント表示部は、前記ポイント対象商品の種類に応じて複数設けられることを特徴とする請求項１に記載の来店促進用顧客カード。
【請求項３】
複数の前記第２ポイント表示部は、それぞれ前記スタンプ押印期間内のそれぞれ異なる期間をポイント提供期間として表示する期間表示部を備えることを特徴とする請求項２に記載の来店促進用顧客カード。
【請求項４】
複数の前記第２ポイント表示部は、それぞれ個別に前記切り取り可能な前記区画線で仕切られていることを特徴とする請求項３に記載の来店促進用顧客カード。
【請求項５】
前記スタンプ押印欄は、複数行及び複数列で配置されているマス目の行列における４隅の中の一の隅に位置する前記マス目から行又は列に沿って前記通し番号が順次打たれて、一の行又は列の終了により次順位の行又は列の最初の前記マス目から続きの前記通し番号が打たれており、
前記スタンプ押印欄の行又は列或いは行と列とで隣接し合う複数の前記マス目を関連付ける囲み枠を備え、
顧客が小売店で所定の買い物を行う度に前記通し番号の順番に沿って第１の所定数の前記マス目に前記スタンプが捺印されて、前記囲み枠で囲われた最も若い前記通し番号が打たれた前記マス目に前記スタンプが捺印されると、当該囲み枠で囲われる他の前記マス目が前記スタンプの捺印の順番となったとき、当該マス目への前記スタンプの捺印をスキップするよう使用される請求項１乃至４の何れかの項に記載の来店促進用顧客カード。
【請求項６】
前記スタンプの捺印がスキップされる前記マス目には捺印スキップ表示部を設けた請求項５に記載の来店促進用顧客カード。
【請求項７】
前記スタンプ押印欄は、複数行及び複数列で配置されているマス目の行列における４隅の中の一の隅に位置する前記マス目から行又は列に沿って順次通し番号が打たれて、一の行又は列の終了により次順位の行又は列の最初の前記マス目から続きの前記通し番号が打たれており、特定の前記通し番号が打たれる前記マス目には捺印スキップ表示部を備え、
顧客が小売店で所定の買い物を行う度に前記通し番号の順番に沿って前記マス目に前記スタンプが捺印されて、前記捺印スキップ表示部を有する前記マス目が前記スタンプの捺印の順番となったとき、当該マス目への前記スタンプの捺印をスキップするよう使用される請求項１乃至４の何れかの項に記載の来店促進用顧客カード。
【考案の詳細な説明】
【技術分野】
【０００１】
本考案は、小売店への買い物顧客の来店を促進させるための来店促進用顧客カードに関する。
【背景技術】
【０００２】
小売業界においては顧客の囲い込みを目的として、自店舗で所定の買い物をした顧客には特典を提供するサービスが広く行われている。その代表的なのが、小売店舗等での商品やサービスの購入代金の額に応じて顧客にポイントを提供し、そのポイントの累計数に応じて商品価格の割引や景品との交換等の特典を供与するものである。
【０００３】
そして、ポイントを提供する具体的な方法としては、顧客が所定の要件を満たした買い物を行うたびに、双六でコマを進めるように複数配列したマス目に逐一スタンプを押印していくスタンプラリーを実施する来店促進用顧客カードが知られている（例えば、特許文献１を参照）。小売店は、このようなスタンプラリーカードを顧客に配布し、スタンプの捺印が特定のマス目に到達するごとに、顧客に所定のポイントを提供する。
【先行技術文献】
【特許文献】
【０００４】
【特許文献１】特開２００８−２３０１６５号公報
【考案の概要】
【考案が解決しようとする課題】
【０００５】
一方、このようなスタンプラリーでのポイントの提供とは別に、特定の商品を購入したときに所定のポイントを顧客に提供するサービスもある。このようなサービスは、一般的には小売店とは別の当該商品のメーカー等の第三者が自社商品の拡売を目的として、小売店のポイントシステムを利用して独自に原資を負担して行っている。このポイントサービスでは、顧客はメーカー等が直接発行したポイント券を小売店に持参して、対象商品の購入時にポイント券との引き換えでポイントを獲得するようになっている。
【０００６】
しかしながら、メーカー等は顧客との直接的な接点がないため、ポイント券を発行するには、チラシで配布したり或いは印刷媒体に掲載したりする等の必要があってコストが掛かる。しかも、ポイント券の配布を受けた顧客にとっても、小売店のポイントサービスとの関連性が理解されない虞がある。
【０００７】
本考案は、上記点に鑑みて、スタンプラリーとポイント券機能とを一つにまとめた来店促進用顧客カードを提供することを目的とする。
【課題を解決するための手段】
【０００８】
上記課題を解決するために、本考案による来店促進用顧客カードは、小売店での一回の買い物に応じてポイントが付与されて、ポイント数が所定数まで累積されると特典と交換することができるポイントシステムに使用されるものであって、所定の要件を満たす買い物でスタンプが捺印されていくマス目が複数配列されて、それぞれの前記マス目には前記スタンプの捺印順を表す通し番号が打たれており、複数の所定の前記通し番号が打たれた前記マス目のそれぞれの中には当該マス目に前記スタンプが捺印されていると顧客に提供される前記ポイント数を表示する第1ポイント表示部を備えて、前記第１ポイント表示部は前記通し番号が大きいほど高いポイント数が表示されるスタンプ押印欄と、前記スタンプ押印欄の隣に配置されて前記マス目に前記スタンプが捺印されるスタンプ押印期間を表示しているカレンダーと、顧客が予め付与されている顧客識別情報を記入するための顧客情報記入欄と、予め定められたポイント対象商品が前記スタンプ押印期間又は当該期間内の一定の期間内で購入されたとき、小売店から顧客に提供される前記ポイント数をバーコードで表示する第２ポイント表示部と、を1枚のカード用紙にそれぞれ配置して成り、前記第２ポイント表示部は、前記カード用紙から折り曲げ又は切り取り可能なよう区画線で仕切られて配置されることを特徴としている。
【０００９】
前記第２ポイント表示部は、前記ポイント対象商品の種類に応じて複数設けることができる。
【００１０】
この場合、複数の前記第２ポイント表示部は、それぞれ前記スタンプ押印期間内のそれぞれ異なる期間をポイント提供期間として表示する期間表示部を備えることで、スタンプ押印期間内でのスタンプラリーによる顧客の来店促進と特定商品の拡売との相乗効果
が一層期待できる。
【００１１】
そして、複数の前記第２ポイント表示部をそれぞれ個別に前記切り取り可能な前記区画線で仕切ることで、ポイントの提供が終了した前記第２ポイント表示部を来店促進用顧客カードから取り除くことができる。
【００１２】
前記スタンプ押印欄のある実施形態では、複数行及び複数列で配置されているマス目の行列における４隅の中の一の隅に位置する前記マス目から行又は列に沿って前記通し番号が順次打たれて、一の行又は列の終了により次順位の行又は列の最初の前記マス目から続きの前記通し番号が打たれており、前記スタンプ押印欄の行又は列或いは行と列とで隣接し合う複数の前記マス目を関連付ける囲み枠を備える構成とすれば、顧客が小売店で所定の買い物を行う度に前記通し番号の順番に沿って第１の所定数の前記マス目に前記スタンプが捺印されて、前記囲み枠で囲われた最も若い前記通し番号が打たれた前記マス目に前記スタンプが捺印されると、当該囲み枠で囲われる他の前記マス目が前記スタンプの捺印の順番となったとき、当該マス目への前記スタンプの捺印をスキップするよう使用でき、スタンプラリーにインセンティブを付けることができる。この場合、前記スタンプの捺印がスキップされる前記マス目には、捺印スキップ表示部を設けるとよい。
【００１３】
前記スタンプ押印欄は、複数行及び複数列で配置されているマス目の行列における４隅の中の一の隅に位置する前記マス目から行又は列に沿って順次通し番号が打たれて、一の行又は列の終了により次順位の行又は列の最初の前記マス目から続きの前記通し番号が打たれており、特定の前記通し番号が打たれる前記マス目には捺印スキップ表示部を備え、
【００１４】
また、前記スタンプ押印欄の他の実施形態では、複数行及び複数列で配置されているマス目の行列における４隅の中の一の隅に位置する前記マス目から行又は列に沿って順次通し番号が打たれて、一の行又は列の終了により次順位の行又は列の最初の前記マス目から続きの前記通し番号が打たれており、特定の前記通し番号が打たれる前記マス目には捺印スキップ表示部を備える構成とすれば、顧客が小売店で所定の買い物を行う度に前記通し番号の順番に沿って前記マス目に前記スタンプが捺印されて、前記捺印スキップ表示部を有する前記マス目が前記スタンプの捺印の順番となったとき、当該マス目への前記スタンプの捺印をスキップするよう使用でき、この場合もスタンプラリーにインセンティブを付けることができる。
【考案の効果】
【００１５】
本考案による来店促進用顧客カードは、スタンプラリーによるスタンプの蒐集結果に応じた第１ポイント表示部が表示するポイントは、顧客情報記入欄に顧客識別情報を記入して提出することで獲得でき、及びポイント対象の特定の商品の購入時には、第２ポイント表示部に表示のポイントはバーコードを読み取ることで獲得できる。よって、形態の異なる２通りのポイント提供を一つのカードで実施することができる。
【図面の簡単な説明】
【００１６】
【図１】本考案に係る来店促進用顧客カードの一実施形態の概略説明図を示す。
【図２】図１の来店促進用顧客カードをその区画線で一部を折り返した状態の説明図を示す。
【図３】ポイントシステムの説明図を示す。
【図４】図１の来店促進用顧客カードの第２ポイント表示部が配置されている端部を区画線で折り返す説明図を示す。
【図５】本考案に係る来店促進用顧客カードの別の実施形態の概略説明図を示す。
【図６】図４の来店促進用顧客カードをその区画線で一部を折り返した状態の説明図を示す。
【考案を実施するための形態】
【００１７】
以下、本考案の実施の形態について、図面を参照しながら詳細に説明する。
図１は、本考案による来店促進用顧客カードのカード面の構成図を示す。来店促進用顧客カード１は、ポイントカード会員の顧客によって所持される。ポイントカード会員とは、小売店が顧客サービスの一環で実施しているポイントシステムの会員であり、ポイントカード会員は、店舗で所定の買い物、例えば、一回の精算で３００円以上の買い物をするとポイントが付与されて、貯まったポイント数に応じて店舗から景品や割引などの特典が得られるようになっている。
【００１８】
図３はポイントシステム２０の概略図を示しており、ＰＯＳ端末機１１で買い物の精算時に顧客が提示するポイントカード１４にバーコードで記録されているポイントカード番号をスキャナー１３で読み取ると、ＰＯＳ端末機１１はこのポイントカード番号と買い物金額に応じたポイントを店舗内のストアコンピュータ１２へ伝送し、ストアコンピュータ１２は当該ポイントカード番号に関連する顧客のポイント口座にこのポイント数を加算してポイントの累計を管理する。
【００１９】
このようなポイントシステム２０において、顧客来店促進用カード１は、ポイントカード会員に配布されて、所定のスタンプラリー実施期間内において、上記のポイントシステム２０を利用して、ポイントカード会員にボーナスポイントを加算するサービスを小売店が実施するのに使用される。
【００２０】
図１の説明に戻って、来店促進用顧客カード１は、複数のマス目３を並べて配置されているスタンプ押印欄２を備える。図示の例では、１０行５列の並びで５０個のマス目３が配置されているこれらのマス目３には、行列の４隅の中の一の隅のマス目３から行又は列に沿って順次通し番号が打たれている。本例では、図で最上段の行で且つ左端の列のマス目３を「１」に付番して、この行の左から右のマス目３に順次通し番号が打たれて、行の右端に達すると直ぐ下の行の左端のマス目３に続きの通し番号が打たれる関係で、スタンプ押印欄３は５０個の全てのマス目３に数字を表示している。各マス目３には、来店促進用顧客カード１を所持する顧客がスタンプラリー実施期間内に所定の要件を満たす買い物を行うたびに、この通し番号に沿ってスタンプ５が順次捺印されていくことでスタンプラリーが進行する。したがって、来店促進用顧客カード１は、スタンプ押印期間表示欄７を備えて、スタンプ押印期間であるスタンプラリーの実施期間日を表示している。この場合、１回の買い物で捺印されるマス目３の数は一つであっても複数であってもよい。一回に捺印されるマス目３の数は一定とは限らず、例えば、買い物金額に応じて、１つであったり或いは２以上であったりしてもよい。尚、本例では、スタンプ押印期間内の特定の日に所定の要件を満たす買い物を行うと、２倍のスタンプ数が捺印されることを表示する表示欄１１が設けられている。
【００２１】
そして、スタンプ押印欄３には、行又は列或いは行と列とで隣接し合う複数のマス目３を枠線で囲む囲み枠が設けられる。本例でのスタンプ押印欄３は、６通りの囲み枠４ａ，４ｂ，４ｃ，４ｄ，４ｅ，４ｆが設けられている。
【００２２】
囲み枠４ａは、行で隣接している通し番号「２」，「３」がそれぞれ打たれた２個のマス目３と、列で隣接している通し番号「１３」が打たれたマス目３とを囲っている。囲み枠４ｂは、行で隣接している通し番号「７」，「８」がそれぞれ打たれた２個のマス目３と、通し番号「８」のマス目３と列で隣接している通し番号「１８」が打たれたマス目３と、これに行で隣接している通し番号「１９」打たれたマス目３とを囲っている。囲み枠４ｃは、通し番号「１５」が打たれたマス目３と、このマス目３と行で隣接している通し番号「２５」，「２６」がそれぞれ打たれた２個のマス目３とを囲っている。囲み枠４ｄは、列で隣接している通し番号「２２」，「３２」がそれぞれ打たれたマス目３を囲っている。囲み枠４ｅは、列で隣接している通し番号「３４」，「４４」がそれぞれ打たれたマス目３を囲っている。そして、囲み枠４ｆは、列で隣接し合う通し番号「３７」，「３８」がそれぞれ打たれた２個のマス目３と、行で隣接し合う通し番号「４８」が打たれたマス目３とを囲っている。
【００２３】
このような囲み枠で囲われたマス目３はそれぞれが関連付けられて、スタンプラリーを実施する上で一体のマス目３として取り扱うこととしている。したがって、５０個のマス目３を通し番号に従って順次進めて行くとき、囲み枠４ａ，４ｂ，４ｃ，４ｄ，４ｅ，４ｆで囲われたマス目３の中で最も若い通し番号が打たれた図示では「魚」の絵柄のマークが付されたマス目３に到達すると、次に当該囲み枠で囲われたマス目３に到達したときにはこのマス目３をスキップさせることで、スタンプラリーの進行にインセンティブを付けている。
【００２４】
具体的には、囲み枠４ａ，４ｂ，４ｃ，４ｄ，４ｅ，４ｆに囲われたマス目３の中で打たれた通し番号が最も若いマス目３以降のマス目３にはスタンプ押印の省略を表すスキップマークを表示する捺印スキップ表示部１９を設けている。よって、スタンプラリーにおいて、スキップマークを表示しているマス目３は既にスタンプ５が捺印されたものと見做す。このスキップマークの図柄は、スタンプ５に疑似させるのが好ましい。図示の例では、捺印スキップ表示部１９はスタンプ５と同じ印影の「済」の文字を円で囲った図柄のスキップマークを表示している。
【００２５】
そして、特定の配列順位に配置されているマス目３、図示の例では、各行での最終のマス目３の枠は他のマス目３より大きい区画として、その中には第１ポイント表示部６をそれぞれ設けている。各第１ポイント表示部６には、スタンプ５が捺印されていき当該マス目３に到達したとき、小売店から顧客に提供されるポイント数が表示されている。ポイント数は、通し番号が大きいマス目３の第１ポイント表示部６ほど高いポイント数を表示している。図での各第１ポイント表示部７は、スタンプラリーで通し番号「１０」，「２０」，「３０」，「４０」，「５０」の各マス目３に到達したとき、「３０Ｐ」，「６０Ｐ」，「９０Ｐ」，「１５０Ｐ」，「２００Ｐ」のポイントをそれぞれ獲得できることを表示している。よって、顧客は、スタンプラリーを進行させるにしたがい、高いポイント数を獲得することができる。
【００２６】
スタンプ押印期間が終了すると、第１ポイント表示部６を有するマス目３にスタンプ５の捺印があるとき、顧客は、スタンプ押印期間の終了後のポイント引換期間表示欄８に表示されているポイント引換期間内に、この来店促進用顧客カード１をポイントカード１４と共に小売店に提出することでポイントを獲得することができる。来店促進用顧客カード１は、顧客が事前に小売店から付与されている顧客識別情報を記入するための顧客情報記入欄１２を備えている。顧客識別情報は、例えば顧客ごとに小売店が付与するポイントカード１４に表示されているポイントカード番号である。
【００２７】
顧客が顧客情報記入欄１２にポイントカード番号を記入した来店促進用顧客カード１を小売店に提出すると、小売店は、ＰＯＳ端末機１１で同時に提示されるポイントカード１４からポイントカード番号を読み取り、顧客情報記入欄１２に記入されているポイントカード番号との一致を確認し、一致していると、このポイント番号に関連付けてポイントシステム２０が管理している顧客のポイント口座に、最新に到達した第１ポイント表示部６を備えるマス目３の当該第１ポイント表示部６に表示されているポイントを加算する。
【００２８】
来店促進用顧客カード１は、ポイント券スタンプ押印期間表示欄７が表示しているスタンプラリーの期間日と、表示欄１１が表示しているスタンプ押印期間内でのスタンプ２倍の捺印日と、ポイント引換期間表示欄８に表示されているポイント引換期間日と、スタンプ押印除外日とを、暦で表示するカレンダー１６を備える。
【００２９】
加えて、来店促進用顧客カード１は、端部９に「ポイント券」と称する商品の買い上げで提供するポイントをバーコードで表示する第２ポイント表示部１０を設けている。このポイントは、小売店とは別の第三者が小売店内の特定の商品の販売促進を目的に、例えば当該商品のメーカーが自社商品の拡売のため小売店のポイントシステムを利用して顧客に提供するものである。第２ポイント表示部１０は、顧客が当該商品を購入したときに提供するポイント数がバーコードで表示されていて、小売店がバーコードをＰＯＳ端末機１１のスキャナー１３で読み取ることで、バーコードが示すポイントがポイントシステム２０の顧客のポイント口座に加算される。
【００３０】
したがって、顧客が買い物の精算時にポイントカード１４を提示することで、買い物金額に見合うポイントと共に、スタンプ押印期間内であればポイント券に表示されている商品を購入したときには第２ポイント表示部１０を提示することで、顧客はバーコードが示すポイント、本例では６０ポイントを併せて獲得することができる。そして、このときの買い物が所定の要件を満たす買い物であるときにはスタンプ押印欄２にはスタンプ５が捺印されることになる。
【００３１】
第２ポイント表示部１０による顧客へのポイントの提供は、スタンプ押印期間又はその期間内の一定期間内での買い物の精算時に顧客が対象商品を購入したことを確認できたときポイントが提供される。これに対して、スタンプラリーによるポイントはスタンプ押印期間内でのスタンプラリーの結果に応じて提供されるため、顧客が来店促進用顧客カード１を提示する時期は不定である。したがって、ポイント券９はカード用紙から折り曲げ又は切り取り可能であることを示す区画線１８で仕切ることで両者を区別している。特に、この区画線１８で切り取るようにすれば、小売店はスキャナー１３でバーコードを読み取ったポイント券９を回収することができる。
【００３２】
そして、図示の来店促進用顧客カード１は、３種類の商品が対象となっており、各商品に応じた３通りの第２ポイント表示部１０が設けられて、それぞれが区画線１８ａで区画されている。図２は、来店促進用顧客カード１を区画線１８で図４に示すように折り曲げたとき、第２ポイント表示部１０が配置されている端部９の裏面を示しており、区画線１８で切り取ってポイント券９を来店促進用顧客カード１から分離し、或いは区画線１８で折り曲げたままでバーコードが読み取られた第２ポイント表示部１０を区画線１８ａで切り離すこともできる。第２ポイント表示部１０は、小売店がスキャナー１３でバーコードを読み取ると、処理済みのチェックを入れる処理欄１５が設けられている。
【００３３】
３通りの第２ポイント表示部１０は、それぞれスタンプ押印期間内のそれぞれ異なる期間をポイント提供期間として表示する期間表示部３５を端部９の裏面に備える。したがって、各第２ポイント表示部１０の期間表示部３５に表示されている期間内にバーコードがスキャナー１３で読み取られたとき、そのバーコードが示すポイント数がポイントシステム２０の顧客のポイント口座に加算されることになる。
【００３４】
このように、本考案に係る顧客来店促進用カード１は、バーコードでポイントを表示する第２ポイント表示部１０を設けることで、スタンプラリーによるポイント提供と、特定の商品の購入によるポイント提供との両方を統合して実施できるカードとなっている。よって、両方のポイント提供のイベントが一つの来店促進用顧客カードで効率的に実施できる。
【００３５】
図５は、本考案の他の実施形態による来店促進用顧客カード２１のカードの構成図を示している。来店促進用顧客カード２１もポイントカード会員の顧客によって保持されて、ポイントシステム２０で使用されるカードである。
【００３６】
来店促進用顧客カード２１のスタンプ押印欄２２も１０行５列の並びで５０個のマス目（丸枠）２３が配置されて、最上段の行で且つ左端の列のマス目２３を「１」に付番して、この行の左から右のマス目２３に順次通し番号が打たれて、行の右端に達すると直ぐ下の行の左端のマス目２３に続きの通し番号が打たれる関係で、スタンプ押印欄３は５０個の全てのマス目２３に数字を表示している。そして、来店促進用顧客カード１のスタンプ押印欄２と同様に、スタンプラリー実施期間内に所定の要件を満たす買い物が行われると、この通し番号に沿ってスタンプ２５が順次捺印されていく。よって、来店促進用顧客カード２１もスタンプ押印期間表示欄２７を備えて、スタンプ押印期間であるスタンプラリーの期間日を表示している。さらに、スタンプ押印期間内の特定日に所定の要件を満たす買い物を行うと、２倍のスタンプ数が捺印されることを表示する表示欄３１も設けている。
【００３７】
また、スタンプ押印欄２２のマス目２３には飛び飛びに捺印スキップ表示部３０が設けられて、スタンプ２５の捺印が捺印スキップ表示部３０を有するマス目２３の順番となったとき、当該マス目２３へのスタンプ２５の捺印をスキップするよう使用される。図示では捺印スキップ表示部３０を有するマス目２３は非周期で配置されているが、周期的に配置されてもよい。また、図示するごとく、通し番号「６」，「７」が打たれた連続しているマス目２３に捺印スキップ表示部３０を設けることもできる。
【００３８】
そして、特定の配列順位に配置されているマス目２３、図示の例では、各行での最終のマス目３には第１ポイント表示部２６をそれぞれ設けている。各第１ポイント表示部２６には、スタンプ２５が捺印されていき当該マス目２３に到達したとき、小売店から顧客に提供されるポイント数が表示されている。ポイント数は、通し番号が大きいマス目２３の第１ポイント表示部６ほど高いポイント数を表示している。図での各第１ポイント表示部７は、スタンプラリーで通し番号「１０」，「２０」，「３０」，「４０」，「５０」の各マス目２３に到達したとき、「５０Ｐ」，「１００Ｐ」，「１５０Ｐ」，「２００Ｐ」，「２５０Ｐ」のポイントをそれぞれ獲得できることを表示している。よって、顧客は、スタンプラリーを進行させるにしたがい、高いポイント数を獲得することができる。
【００３９】
スタンプ押印期間が終了すると、第１ポイント表示部２６を有するマス目２３にスタンプ２５の捺印があるとき、顧客は、スタンプ押印期間の終了後のポイント引換期間表示欄８に表示されているポイント引換期間内に、この来店促進用顧客カード２１をポイントカード１４と共に小売店に提出することでポイントを獲得することができる。
【００４０】
顧客が顧客情報記入欄３６にポイントカード番号を記入した来店促進用顧客カード２１を小売店に提出すると、小売店は、ＰＯＳ端末機１１でポイントカード１４からポイントカード番号を読み取り、顧客情報記入欄３６に記入されているポイントカード番号との一致を確認し、一致していると、このポイント番号に関連付けてポイントシステム２０が管理しているポイント数に、最新に到達した第１ポイント表示部２６を備えるマス目３の当該第１ポイント表示部２６に表示されているポイントをポイントシステム２０に加算する。
【００４１】
来店促進用顧客カード２１はカレンダー３２を備えて、図では詳細に示されていないが、カレンダー３２は来店促進用顧客カード１のカレンダー１６と同様、スタンプ押印期間表示欄７が表示しているスタンプ押印期間の期間日と、表示欄３１が表示しているスタンプ押印期間内でのスタンプ２倍の捺印日と、ポイント引換期間表示欄８に表示されているポイント引換期間日と、スタンプ押印除外日と、を表示している。
【００４２】
そして、来店促進用顧客カード２１は第２ポイント表示部３３を備えるが、スタンプ押印欄２２の左側半分とカード用紙の表裏の関係で配置されている。図５は、来店促進用顧客カード２１を図４の状態から区画線３４で折り曲げて、ポイント券９が現れるようにした状態を示している。尚、来店促進用顧客カード２１は、図６で示されている折り曲げ線３４ａで折り曲げることで三重折りとしたとき、一般的なカードの縦横のサイズにまで折り畳めるように構成されている。
【００４３】
第２ポイント表示部３３は、来店促進用顧客カード１の第１ポイント表示部６と同様、小売店とは別の第三者が小売店内の特定の商品の販売促進を目的に、例えば当該商品のメーカーが自社商品の拡売のため小売店のポイントシステムを利用して顧客にポイントを提供するのに使用され、対象商品の買い上げで提供するポイントをバーコードで表示している。顧客が当該商品を購入したときに小売店側がスキャナー１３で第２ポイント表示部３３のバーコードを読み取ることで、バーコードが示すポイントがポイントシステム２０の顧客のポイント口座に加算されることになる。そして、来店促進用顧客カード２１も対象商品は３種類としているが、何れの商品もスタンプ押印期間内に亘って購入すればポイントが提供されるので期間表示部３７は共通に設けている。
【００４４】
そして、来店促進用顧客カード２１においても、顧客が買い物の精算時にポイントカード１４を提示することで、買い物金額に見合うポイントと共に、スタンプ押印期間内であれば第２ポイント表示部３３に表示されている商品を購入したときには第２ポイント表示部３３を提示することで、顧客はバーコードが示すポイントも併せて獲得することができる。そして、このときの買い物が所定の要件を満たす買い物であるときにはスタンプ押印欄２２にはスタンプ２５が捺印されることになる。
【００４５】
スタンプラリー機能を備える来店促進用顧客カードを企画する一般的なモデルは、小売店の販売促進を支援する販促支援業者と小売店との打ち合わせにより行っており、販促支援業者は企画された来店促進用顧客カードを作成して小売店に提供する。しかし、本考案による来店促進用顧客カードでは、さらに商品のメーカーを加えた３者によって企画されるのが好ましく、具体的には、小売店の担当バイヤーと、メーカーの当該小売店を担当する営業マンと、販促支援業者との３者によって、ポイント対象商品やポイント券導入の費用負担等が決定することで、スタンプラリーによるポイント提供と当該メーカーの商品の購入によるポイント提供との両方を有機的に統合させた来店促進用顧客カードが企画される。このような来店促進用顧客カードをポイントシステムの運営で用いれば、顧客の小売店での商品購入をより促進させることができる。
【００４６】
以上、本考案の実施形態について説明したが、本考案は上記実施形態に限定されるものではなく、本考案の趣旨に基づき種々の変形が可能であり、これらを本考案の範囲から排除するものではない。
【符号の説明】
【００４７】
１    来店促進用顧客カード
２    スタンプ押印欄
３    マス目
４ａ，４ｂ，４ｃ，４ｄ，４ｅ    囲み枠
６    第１ポイント表示部
１０  第２ポイント表示部
１２  顧客情報記入欄
１６  カレンダー
１８  区画線
１９  捺印スキップ表示部
２１  来店促進用顧客カード
２２  スタンプ押印欄
２３  マス目
２６  第１ポイント表示部
３０  捺印スキップ表示部
３２  カレンダー
３３  第２ポイント表示部
３４  区画線
３６  顧客情報記入欄
【図１】
0003222289.tif 000003
【図２】
0003222289.tif 000004
【図３】
0003222289.tif 000005
【図４】
0003222289.tif 000006
【図５】
0003222289.tif 000007
【図６】
0003222289.tif 000008